(57)【要約】【課題】  部品点数及び施工工数を増加させること無く、小屋裏に十分な天井高を確保することができる小屋組構造であって、吹き抜けを設ける場合の意匠性を向上させることができ、下階に高さ方向に長い開口部を設けることができる小屋組構造及び住宅を提供する。【解決手段】小屋組構造は、小屋裏に居住空間を有する切妻屋根の小屋組構造であって、軒側において垂木を受ける軒桁と、前記軒桁に端部が固定される小屋梁と、前記軒桁に端部が固定される勾配梁と、を備え、前記軒桁は、その下面が前記小屋梁の下面よりも高くなるように架設されるとともに、前記小屋梁と前記勾配梁とを水平方向における同一位置に接合可能な梁せいを有する。【選択図】図１
2015086656.tif 000002
【特許請求の範囲】
【請求項１】
小屋裏に居住空間を有する切妻屋根の小屋組構造であって、
軒側において垂木を受ける軒桁と、
前記軒桁に端部が固定される小屋梁と、
前記軒桁に端部が固定される勾配梁と、を備え、
前記軒桁は、その下面が前記小屋梁の下面よりも高くなるように架設されるとともに、前記小屋梁と前記勾配梁とを水平方向における同一位置に接合可能な梁せいを有することを特徴とする小屋組構造。
【請求項２】
前記軒桁の上面は小屋梁の上面に対して、３００ｍｍ以上高いことを特徴とする請求項１に記載の小屋組構造。
【請求項３】
請求項１又は請求項２に記載の小屋組構造を具備する住宅であって、
該小屋組構造の下階に、上端が前記軒桁の下端に近接するように開口部が設けられることを特徴とする住宅。
【請求項４】
請求項１又は請求項２に記載の小屋組構造を具備する住宅であって、
一方の妻側の前記小屋梁の上面が、前記居住空間の床面よりも低いことを特徴とする住宅。
【発明の詳細な説明】
【技術分野】
【０００１】
本発明は、切妻屋根の住宅における小屋組構造、及び当該小屋組構造を採用する住宅に関する。
【背景技術】
【０００２】
従来より、小屋裏空間の天井高を確保することにより、当該小屋裏空間を有効利用するために、互いに平行に配設された一対の軒桁上にそれぞれ複数の補助柱を立設し、これら補助柱上に横架材を掛け渡して、当該横架材上に勾配梁を接合した小屋組構造が提案されている（特許文献１及び特許文献２参照）。
【０００３】
このように構成することで、桁梁に直接勾配梁を接合する場合に比べて、補助柱及び横架材の高さの分、勾配梁や屋根下地の高さを高くすることができ、小屋裏の天井高を確保することができるので、容積の大きな小屋裏空間を得ることができる。
【先行技術文献】
【特許文献】
【０００４】
【特許文献１】特開平７−１１７２９号公報
【特許文献２】特開平１０−２９２５４６号公報
【発明の概要】
【発明が解決しようとする課題】
【０００５】
しかし、上述の小屋組構造は、軒桁の上に複数の補助柱を立設し、さらに横架材を掛け渡すものであるので、単に軒桁に勾配梁を接合するものに比べて、部材数が増加し、施工工数が増加する問題があった。
【０００６】
また、上述の小屋組構造は、軒桁の梁せいは通常の小屋組構造と同一であるので、例えば吹き抜けを設ける場合などにおいて、あらわし小屋梁とあらわし勾配梁の水平方向における位置をずらす必要があり、吹き抜け部分の意匠が雑多な印象となる虞があった。
【０００７】
さらに、上述の小屋組構造は軒桁の下面の高さが小屋梁の下面の高さと略同一であるので、高さ方向に長い開口部を設けることが困難であった。
【０００８】
そこで、本発明は、部品点数及び施工工数を増加させること無く、小屋裏に十分な天井高を確保することができる小屋組構造であって、吹き抜けを設ける場合の意匠性を向上させることができ、下階に高さ方向に長い開口部を設けることができる小屋組構造及び住宅を提供することを目的とする。
【課題を解決するための手段】
【０００９】
請求項１に記載の小屋組構造は、小屋裏に居住空間を有する切妻屋根の小屋組構造であって、軒側において垂木を受ける軒桁と、前記軒桁に端部が固定される小屋梁と、前記軒桁に端部が固定される勾配梁と、を備え、前記軒桁は、その下面が前記小屋梁の下面よりも高くなるように架設されるとともに、前記小屋梁と前記勾配梁とを水平方向における同一位置に接合可能な梁せいを有することを特徴としている。
【００１０】
請求項２に記載の小屋組構造は、前記軒桁の上面は小屋梁の上面に対して、３００ｍｍ以上高いことを特徴としている。
【００１１】
請求項３に記載の住宅は、請求項１又は請求項２に記載の小屋組構造を具備する住宅であって、該小屋組構造の下階に、サッシの上端が前記軒桁の下端に近接する開口部が設けられることを特徴としている。
【００１２】
請求項４に記載の住宅は、請求項１又は請求項２に記載の小屋組構造を具備する住宅であって、一方の妻側の前記小屋梁の上面が、前記居住空間の床面よりも低いことを特徴としている。
【発明の効果】
【００１３】
請求項１に記載の小屋組構造によると、軒桁は、小屋梁と勾配梁とを水平方向における同一位置に接合可能な梁せいを有するので、吹き抜けを設ける場合などにおいて、小屋梁及び勾配梁の水平方向における位置をずらすことなく、小屋梁及び勾配梁を必要な強度で接合することができるので、吹き抜け部分の意匠性を向上させることができる。また、軒桁の下面が小屋梁の下面よりも高くなるように架設されているので、小屋裏の下階の開口部の高さ方向の設計自由度を高めることができる。そして、軒桁は、下面が小屋梁の下面よりも高く、且つ、小屋梁と勾配梁とを水平方向における同一位置に接合可能な梁せいを有しているので、小屋梁のみを接合可能な梁せいを有する従来の軒桁に比べて、軒桁の上面を高い位置とすることができ、軒桁の上面に固定される垂木材を従来よりも高くすることができるので、部品点数及び施工工数を増加させること無く、屋根の高さを高くすることができ、小屋裏に十分な天井高を確保することができる。
【００１４】
請求項２に記載の小屋組構造によると、軒桁の上面は小屋梁の上面に対して、３００ｍｍ以上高いので、この軒桁の上面に固定される垂木も小屋裏の上面よりも３００ｍｍ以上高い位置で垂木に固定されることになり、屋根の高さを高くすることができ、小屋裏に十分な天井高を確保することができる。
【００１５】
請求項３に記載の住宅によると、上述の請求項１又は請求項２に記載の小屋組構造を具備する住宅であって、小屋組構造の下階に、サッシの上端が軒桁の下端に近接する開口部が設けられるので、下階の外壁面に高さの高い開口部を設けることができ、開放感のある住宅にすることができる。
【００１６】
請求項４に記載の住宅によると、請求項１又は請求項２に記載の小屋組構造を具備する住宅であって、一方の妻側の小屋梁の上面が、居住空間の床面よりも低いので、当該一方の妻側に小屋裏の居住空間の床面から開かれた開口部を設けることができ、例えば、その屋外側にフラットなバルコニーを設けることができる。すなわち、小屋裏の居住空間の天井高を高くするために軒桁の上面は高く設けられる一方、小屋梁の上面を低く設けて、妻側に床面から開かれた開口部を設けることができるので、小屋裏の居住空間の気積を増加させることができるとともに、大きな開口部を有する開放感のある小屋裏の居住空間とすることができる。
【図面の簡単な説明】
【００１７】
【図１】小屋組構造の全体構成を示す住宅躯体の概略断面図。
【図２】軒桁と小屋梁及び勾配梁を接合する構成を示す一部省略拡大図。
【図３】軒桁に小屋梁及び勾配梁を接合する工程を示す図。
【図４】（ａ）は、本発明の小屋組構造に係る小屋裏の居住空間の気積を説明する図、（ｂ）は、従来の小屋組構造に係る小屋裏の居住空間の気積を説明する図。
【図５】（ａ）は、小屋組構造の下階の軒側の外壁に設けられる住宅の開口部を示す図、（ｂ）は、従来の小屋組構造の下階の軒側の外壁に設けられる住宅の開口部を示す図。
【図６】小屋裏に居住空間を設けることができる領域を示す図。
【発明を実施するための形態】
【００１８】
以下、本発明に係る小屋組構造１及び住宅２の最良の実施形態について、各図を参照しつつ説明する。本実施形態に係る小屋組構造１は、平屋建ての住宅において、切妻屋根を支える小屋組構造１であって、小屋裏４に居住空間３を有する住宅２の小屋組構造１である。本実施形態において切妻屋根は６寸勾配に形成されており、住宅２は妻側がファサードとなっており、住宅２の妻側の間口は、１０．５メートルである。なお、本発明の小屋組構造１及び住宅２は、平屋建て住宅における居住空間３の増加に効果的であるが、平屋建ての住宅に限定されるものではなく、２階建て以上の住宅においても適用することができる。また、屋根勾配は６寸勾配に限定されるものではなく、２．５寸以上の勾配があれば、本発明の小屋組構造１を適用することができる。
【００１９】
この小屋組構造１は、図１に示すように、基礎５から延びる柱６に架設される一対の軒桁７と、小屋束８及び地回り梁９に支持されて、軒桁７と平行に設けられ、切妻屋根の棟を支える棟木１０と、棟木１０と軒桁７との間にこれら棟木１０及び軒桁７に平行に架設される母屋１１と、軒桁７に端部が固定され、妻面に平行な水平方向に一対の軒桁７に架設される小屋梁１２と、一端が軒桁７に固定されるとともに、他端が母屋１１に固定される妻面に平行な勾配梁１３と、を備えている。また、この小屋組構造１に支持される切妻屋根は、棟木１０、母屋１１、及び軒桁７の上面に固定される複数の垂木１４と、垂木１４の上面に敷設される図示しない屋根下地、ルーフィング、及び瓦などの屋根材が固定される。
【００２０】
軒桁７は、図２に示すように、鉛直方向の高さ、すなわち梁せいＬ１が４５０ｍｍで、小口面における幅Ｌ２が１２０ｍｍの角材である。軒桁７の長さは、住宅２の軒の両端に立設された通し柱の間に軒桁７の両端が固定可能な長さであり、特に限定されるものではないが、たとえば１２ｍ程度である。軒桁７には、水平な小屋梁１２用の第一の梁受金物１５と、勾配梁１３用の第二の梁受金物１６とがボルト１７及びナット１８により固定されている。第一の梁受金物１５及び第二の梁受金物１６は、公知の梁受金物であるので、詳細な説明は省略するが、図示しないボルト孔を有して軒桁７に固定される固定片１９ａ，１９ｂと、固定片１９ａ，１９ｂの両側から小屋梁１２又は勾配梁１３側に突出する２枚の突出片２０ａ，２０ｂとにより構成されており、突出片２０ａ，２０ｂ上部にドリフトピン２２を係止する係止溝２１が設けられるとともに、係止溝２１から間隔をあけて、ドリフトピン２２を挿入可能な１又は複数の挿入孔２３が設けられている。
【００２１】
小屋梁１２は、梁せいが２７０ｍｍで、小口面における幅１２０ｍｍの角材であり、両端の小口にそれぞれ第一の梁受金物１５を挿入可能な縦溝が設けられるとともに、端部近傍の側面にドリフトピン２２を挿入可能に水平に貫通するドリフト孔２４ａが設けられている。小屋梁１２は小屋組構造１を支持するとともに、小屋裏４の居住空間３の床２５を支える床梁としても機能するものである。勾配梁１３は、その長手方向に対して垂直な断面を見た場合に長辺３３０ｍｍで、短辺１２０ｍｍの矩形となる角材であり、長手方向を６寸勾配に配置したときに、小口面が鉛直となるように、長手方向に対して斜めに切断されている。勾配梁１３の両端の小口面にはそれぞれ第二の梁受金物１６を挿入可能な縦溝が設けられるとともに、端部近傍の側面にドリフトピン２２を挿入可能に水平に貫通するドリフト孔２４ｂが設けられている。住宅２の一部には、１階から小屋裏４まで貫通する吹き抜け部が設けられており、この吹き抜け部において、小屋梁１２及び勾配梁１３は１階から視認することができるあらわし梁となっている。
【００２２】
このように、軒桁７の梁せいＬ１が４５０ｍｍあることによって、軒桁７に第一の梁受金物１５と第二の梁受金物１６とを水平方向における同一位置に上下に並べて固定することができるので、１階から小屋裏４まで貫通する吹き抜け部において、小屋梁１２及び勾配梁１３の水平方向における位置をずらすことなく、小屋梁１２及び勾配梁１３を必要な強度で接合することができるので、吹き抜け部分の意匠性を向上させることができる。
【００２３】
小屋梁１２を軒桁７に固定する際には、図３（Ａ）（Ｂ）に示すように、まず、ドリフト孔２４ａにドリフトピン２２を挿入していない状態で、小屋梁１２をクレーンなどで上方から下方に向かって移動させ、小屋梁１２の小口面に形成された縦溝が第二の梁受金物１６の突出片２０ｂを通過させる。そして、第二の梁受金物１６を通過した後、小屋梁１２の側面に設けられている上側のドリフト孔２４ａにドリフトピン２２を挿入して、第一の梁受金物１５の突出片２０ａの上部に設けられている係止溝２１にドリフトピン２２を係止する。次いで、小屋梁１２の下側のドリフト孔２４ａ及び第一の梁受金物１５の突出片２０ａに設けられた挿入孔２３にドリフトピン２２を挿入して軒桁７に小屋梁１２を固定する。そして、さらに勾配梁１３を軒桁７に固定する際には、図３（Ｃ）（Ｄ）に示すように、勾配梁１３の側面に設けられている上側のドリフト孔２４ｂにドリフトピン２２を挿入して、第二の梁受金物１６の突出片２０ｂの上部に設けられている係止溝２１にドリフトピン２２を係止し、その後、勾配梁１３の下側のドリフト孔２４ｂ及び第二の梁受金物１６の突出片２０に設けられた挿入孔２３にそれぞれドリフトピン２２を挿入して軒桁７に勾配梁１３を固定する。
【００２４】
小屋梁１２が軒桁７に固定されたとき、小屋梁１２の下面は、軒桁７の下面よりも１２０ｍｍ低くなる位置に配置される。また、小屋梁１２の上面は、軒桁７の上面よりも３００ｍｍ低くなる位置に配置される。小屋梁１２の下側は１階の構造躯体が設けられている。１階の構造躯体は、従来公知の構成であるのでその説明を省略するが、小屋梁１２は従来通りの高さに設置することができるので、小屋梁１２の下の１階の柱６などの構造躯体や外壁材は従来から用いられているものをそのまま用いることができる。
【００２５】
このように、本実施形態の小屋組構造１に係る軒桁７は、４５０ｍｍの梁せいＬ１を有しており、従来よりも梁せいの大きな軒桁７であるので、図４（ａ）に示すように、軒桁７の上面の高さが小屋梁１２の上面よりも３００ｍｍ高くなっている（Ｌ３）。また、図４（ｂ）に示すように、従来の軒桁７´は垂木１４を軒桁７の上面と小屋梁１２の上面とに当接させる納まりであったので、軒桁７の上面は小屋梁１２の上面よりも９０ｍｍ低く配置されていた（Ｌ４）。したがって、本実施形態の小屋組構造１に係る軒桁７は従来の軒桁７´よりも上面が３９０ｍｍ高くなっている。そして、垂木１４は軒桁７の上面に固定されるので、本実施形態の小屋組構造１は屋根勾配を変更することなく、屋根全体を３９０ｍｍ高くすることができる。小屋裏４の居住空間３における床面２５の高さは床梁として機能する小屋梁１２の高さによって規定されるものであるので、小屋裏４の居住空間３の天井高は、従来の小屋組構造１のものに比べて３９０ｍｍ高くなる。
【００２６】
なお、軒桁７の上面の高さは、本実施形態においては、小屋梁１２の上面よりも３００ｍｍ高くなっているが、これに限定されるものではなく、軒桁７の上面が小屋梁１２の上面よりも１２５ｍｍ以上高くなるものであればよい。
【００２７】
したがって、小屋裏４の居住空間３の平均天井高を高くすることができるので、たとえば、妻側の間口が９ｍ程度の住宅２であっても、小屋裏４の居住空間３の平均天井高を２．１メートル以上確保することができ、居室として利用することができる。また、図５（ａ）に示すように、軒桁７の下面は小屋梁１２の下面よりも１２０ｍｍ高くなっているので、１階の外壁面にサッシ２６の上端が軒桁７の下端に近接するように配置することで、小屋裏４の下階である１階の外壁面に高さの高い開口部を設けることができ、開放感のある住宅２にすることができる。しかも、軒桁７の梁せいＬ１は大きくなっているので、より大きな加重を負担することができ、開口部の幅も大きくすることができる。なお、図５（ｂ）は、従来の小屋組構造１における下階の開口部を示しており、軒桁７´の下面が本実施形態の小屋組構造１に係る軒桁７の下面よりも低いので、開口部の上端が低くなる。
【００２８】
このように、梁せいＬ１の大きな軒桁７によって、屋根全体を高くしているので、軒桁７の上面に補助柱を設置するなどの余計な工程及び部品を必要とすることなく、従来通りの工程で、天井高の高い小屋裏４の居住空間３を有する小屋組構造１とすることができる。
【００２９】
また、前述の通り、軒桁７の上面の高さが３９０ｍｍ高くなることによって、屋根全体が３９０ｍｍ高くなっているので、小屋裏４の居住空間３は、図６に示すように、本実施形態においては、軒側の外壁から１．５メートル屋内側に入った領域Ｒの内側であれば、どのような範囲に居住空間３を設けても、２．１メートル以上の天井高を確保することができる。したがって、当該領域Ｒ内に自由に小屋裏４の居室を設計することができる。
【００３０】
また、妻側の小屋梁１２、すなわち妻梁の上面も、他の小屋梁１２の上面と同じ高さに設けられているので、居住空間３の床面２５よりも低く、妻側に小屋裏４の居住空間３の床面２５から開かれた開口部を設けることができ、例えば、その屋外側にフラットなバルコニーを設けることができる。すなわち、小屋裏４の居住空間３の天井高を高くするために軒桁７の上面は高く設けられる一方、小屋梁１２の上面を低く設けて、妻側に床面２５から開かれた開口部を設けることができるので、小屋裏４の居住空間３の気積を増加させることができるとともに、大きな開口部を有する開放感のある小屋裏４の居住空間３とすることができる。
【００３１】
なお、本発明の実施の形態は上述の形態に限ることなく、本発明の思想の範囲を逸脱しない範囲で適宜変更することができることは云うまでもない。
【産業上の利用可能性】
【００３２】
本発明に係る小屋組構造１及び住宅２は、主に平屋建て住宅の小屋組構造１及び住宅２として好適に用いることができる。
【符号の説明】
【００３３】
１    小屋組構造
２    住宅
３    居住空間
４    小屋裏
７    軒桁
１２  小屋梁
１３  勾配梁
Ｌ１  梁せい
【図１】
2015086656.tif 000003
【図２】
2015086656.tif 000004
【図３】
2015086656.tif 000005
【図４】
2015086656.tif 000006
【図５】
2015086656.tif 000007
【図６】
2015086656.tif 000008